(57)【要約】【課題】３次元曲面を有するゴルフクラブヘッドＨの上面Ｆに対して、皺が発生することなく、綺麗に貼付けることが可能なゴルフクラブヘッド保護シートを提供する。【解決手段】ゴルフクラブヘッドＨの表面の所定の狭い部位を覆う基部１ａと、この基部１ａからゴルフクラブヘッドＨの外縁部にかけて連設されて、この基部１ａによって覆われた部分以外のゴルフクラブヘッドＨの表面を覆う延設部１ｂとを備え、延設部１ｂが、基部１ａから延設部１ｂの外縁部に至る切り込み２によって複数に分割されており、この切り込み２の対向する縁部２ａ同士を密着させた状態において、ゴルフクラブヘッドＨの上面Ｆの３次元曲面に沿う曲面形状となされる。【選択図】図１
2020179032.tif 000002
【特許請求の範囲】
【請求項１】
ゴルフクラブヘッドの３次元曲面を有する表面に沿って貼付されるゴルフクラブヘッド保護シートであって、前記ゴルフクラブヘッドの表面の所定の狭い部位を覆う基部と、この基部から前記ゴルフクラブヘッドの外縁部にかけて連設されて、この基部によって覆われた部分以外のゴルフクラブヘッドの表面を覆う延設部とを備え、前記延設部が、前記基部から前記延設部の外縁部に至る切り込みによって複数に分割されており、この切り込みの対向する縁部同士を密着させた状態において、前記ゴルフクラブヘッドの表面の３次元曲面に沿う曲面形状となされることを特徴とするゴルフクラブヘッド保護シート。
【請求項２】
前記切り込みが複数形成されていることを特徴とする請求項１に記載のゴルフクラブヘッド保護シート。
【請求項３】
可撓性を有する基材と、この基材の上面に積層された形状復元性を有する修復層と、前記基材の下面に積層された粘着層とによって形成されていることを特徴とする請求項１に記載のゴルフクラブヘッド保護シート。
【請求項４】
前記修復層が有色材料によって形成されていることを特徴とする請求項３に記載のゴルフクラブヘッド保護シート。
【請求項５】
前記修復層が透明材料によって形成されているとともに、前記基材が有色材料によって形成されていることを特徴とする請求項３に記載のゴルフクラブヘッド保護シート。
【請求項６】
前記切り込みによって平面状に展開された状態で、別途設けられた保持シートに剥離可能に貼着されていることを特徴とする請求項１ないし請求項５の何れかに記載のゴルフクラブヘッド保護シート。
【請求項７】
前記表面が、ゴルフクラブヘッドの上面であることを特徴とする請求項１〜請求項６の何れかに記載のゴルフクラブヘッド保護シート。
【請求項８】
前記表面が、ゴルフクラブヘッドの底面であることを特徴とする請求項１〜請求項６の何れかに記載のゴルフクラブヘッド保護シート。
【発明の詳細な説明】
【技術分野】
【０００１】
本発明は、ゴルフクラブヘッド保護シートに係わり、特に、ゴルフクラブヘッド上面の損傷を防止するようにしたゴルフクラブヘッド保護シートに関するものである。
【背景技術】
【０００２】
一般に、ゴルフクラブでは、ミスショット時に、クラブヘッドのフェース上部近傍の上面にホールが当たり、この部分を傷つけてしまい易い。
また、地面や練習用マットとの接触により底面を傷つけてしまい易い。
【０００３】
このような不具合を抑制するために、従来では、たとえば、前記クラブヘッドのフェース上部近傍の上面に、所定幅の保護シールを貼り付ける方法や、前記ゴルフクラブヘッドの表面を、塗料を用いた塗膜によって被覆し保護することが行なわれている。
この塗膜は、黒や青、あるいは、赤や白といった有色塗料を用いて形成することにより、ゴルフクラブヘッドの意匠的効果を得ることも目的としている。
【０００４】
しかしながら、前述した保護シールは部分的な保護で有り、ゴルフクラブヘッドの表面を幅広く保護することができない。
また、前記塗膜は、ゴルフクラブヘッドの表面を幅広く保護することができるものの、前述したボールとの衝突により剥がれることがあり、この結果、ゴルフクラブヘッド上面の損傷防止効果が低下してしまう。
【０００５】
そして、前記塗膜の剥がれは、その形状や大きさがまばらであることから見た目が悪く、意匠的効果が損なわれてしまう。
【０００６】
このような塗膜の問題点を解決するために、この塗膜に代えて、あるいは、この塗膜の上に、前記ゴルフクラブヘッドの表面に伸縮性を有する保護シートを貼着することも検討されている。
【０００７】
この保護シートは、その弾性によりショット時のボールとの衝撃力や、地面との接触、あるいは、キャディーバッグへの収納時における他のゴルフクラブとのぶつかりによる衝撃力を緩和して傷防止を行なうようにしている。
【０００８】
また、前記保護シートは、自らの形状復元作用により傷を目立たなくし、ゴルフクラブヘッド表面の保護と意匠的効果を維持するようにしている。
【先行技術文献】
【特許文献】
【０００９】
【特許文献１】なし
【発明の概要】
【発明が解決しようとする課題】
【００１０】
ところで、前述した保護シートによってゴルフクラブヘッド上面を保護する方法であると、この保護シートを、特に、ドライバー、フェアーウェイウッド、ユーティリティ、あるいは、ハイブリッドといった広い上面を有するゴルフクラブヘッドに適用する場合、次のような不具合が生じる。
【００１１】
すなわち、前述したゴルフクラブヘッドの表面は、通常、３次元曲面形状であり、かつ、前記保護シートは２次元の平面形状であることから、３次元曲面に平面形状の保護シートを貼着しなければならない。
【００１２】
ここで、平面状の保護シートを前述した３次元曲面に沿わせるには、保護シートを引っ張りながら変形させなければならない。
ここで、貼付する面が３次元曲面であることから、この面の各部位において、前記保護シートの伸びにムラが生じて皺を発生させやすく、また、保護シートに余剰部が生じ、この余剰部がゴルフクラブヘッド上面から浮くことにより皺を発生させてしまう。
【００１３】
このような皺の発生は、ゴルフクラブヘッド上面の平滑性を損ねるとともに見た目を悪化させ、意匠的な効果を損なわせる。
また、このような皺の発生を防止しつつ保護シートを貼着するには熟練した技術が要求される。
そして、前述した諸問題点は、ゴルフクラブヘッドの上面に限らず、その他の表面、たとえば、底面においても生じる。
【００１４】
本発明は前述した従来の問題点に鑑みてなされたものであり、３次元曲面を有するゴルフクラブヘッド表面に貼着する際に、皺の発生を防止しつつ均一に、かつ、容易に貼付することができるゴルフクラブヘッド保護シートを提供することを課題とする。
【課題を解決するための手段】
【００１５】
本発明のゴルフクラブヘッド保護シートは、前述した課題を解決するために、ゴルフクラブヘッドの３次元曲面を有する表面に沿って貼付されるゴルフクラブヘッド保護シートであって、前記ゴルフクラブヘッドの表面の所定の狭い部位を覆う基部と、この基部から前記ゴルフクラブヘッドの外縁部にかけて連設されて、この基部によって覆われた部分以外のゴルフクラブヘッドの表面を覆う延設部とを備え、前記延設部が、前記基部から前記延設部の外縁部に至る切り込みによって複数に分割されており、この切り込みの対向する縁部同士を密着させた状態において、前記ゴルフクラブヘッドの表面の３次元曲面に沿う曲面形状となされることを特徴としている。
【００１６】
このように構成された本発明のゴルフクラブヘッド保護シートは、未使用時においては、前記切り込みを広げるように展開することにより平面状となされている。
【００１７】
そして、前記切り込みを、その対向する側縁を密着させるように変形させると、前記延設部が、ゴルフクラブヘッド表面の３次元曲面と同形状の曲面形状となされる。
【００１８】
ゴルフクラブヘッドに装着するには、前記基部をゴルフクラブヘッド表面の所定の狭い部位に貼着した後に、前記延設部を、切り込みの対向する縁部を密着させるようにして変形させつつゴルフクラブヘッド表面の、前記基部が貼着されていない部位に貼着する。
【００１９】
ここで、前記基部は、所定の狭い部位に貼着されるが、この狭い部位における曲面の曲率が比較的小さいため、この部位に貼着される基部の変形を小さく抑えることができる。
したがって、前記基部を均一に貼付することができる。
【００２０】
一方、前記延設部は、前述したように、前記切り込みをその対向する側縁を密着させるように変形させることにより、ゴルフクラブヘッド表面の３次元曲面と同形状の曲面形状とすることができる。
【００２１】
ここで、前記延設部の、切り込みによって切り離された部位が幅狭となされていることから、これらの部位が貼着されるゴルフクラブヘッド表面の部位の曲率も小さい。
【００２２】
この結果、延設部の切り込みによって切り離された部位を前記基部が貼着されていない部位に貼着する際に、その変形を小さく抑えることができる。
【００２３】
これによって、前記延設部の引き延ばし量を最小限に抑えることにより、皺の発生を防止しつつゴルフクラブヘッド表面に均一に貼着することができる。
また、厚みの変化を防止して、その衝撃力緩衝作用の低下を防止して、ゴルフクラブヘッド表面の保護効果を長期化することができる。
【００２４】
このように、ゴルフクラブヘッド保護シート全体を、３次元曲面を有するゴルフクラブヘッド表面に、皺の発生を防止しつつ均一に貼付することができる。
【００２５】
また、変形を抑えつつ貼付することができるので、ゴルフクラブヘッド保護シートの材料に、より硬度の高い材料を使用することができる。
これによって、ゴルフクラブヘッド保護シートの強度を高めて、その保護効果を高めることができる。
【００２６】
さらに、貼付時の変形が極めて少なく抑えられていることにより、切り込みの対向縁部を相互に密着させるといった簡便な作業によって貼着することができ、未熟練の作業者によっても容易に作業を行なうことができる。
【００２７】
本発明のゴルフクラブヘッド保護シートは、可撓性を有する基材と、この基材の上面に積層された形状復元性を有する修復層と、前記基材の下面に積層された粘着層とによって形成することができる。
【００２８】
このような構成とすることにより、基材の可撓性によりゴルフクラブヘッド上面の曲面に沿った変形を容易にして、より均一な貼付を可能とし、かつ、皺の発生を効果的に防止することができる。
【００２９】
また、前記修復層を、形状復元性を有する材料によって形成することにより、ゴルフクラブヘッド保護シートにショット時のボールによる衝撃力が加わった際に、その衝撃力を緩和してゴルフクラブヘッド保護シートの損傷を防止することができるとともに、衝撃力が開放された際には、修復層が、その自らの形状復元性により元の形状に戻る。
【００３０】
さらに、粘着層を設けておくことにより、粘着材を塗布する工程を省略して、簡便な貼付作業を確保することができる。
また、この粘着層自体の弾力性が加わって、前述した衝撃緩和が高められる。
さらに、傷のあるゴルフクラブに使用すると、この傷に粘着層の粘着成分が入り込み、この傷を目立たなくする効果も得られる。
【００３１】
前記切り込みを複数形成することができる。
この切り込みの数を、ゴルフクラブヘッド表面の曲面形状に応じて増減することにより、貼付時の延設部の変形量を適切量に調整して、ゴルフクラブヘッド保護シートのゴルフクラブヘッド表面へのなじみを良好にすることができる。
【００３２】
また、ゴルフクラブヘッド保護シートを、前記切り込みによって平面状に展開された状態で、別途設けられた保持シートに剥離可能に貼着しておくことができる。
【００３３】
このような構成とすることにより、ゴルフクラブヘッド保護シートを、その占有容積を最小限度とした状態とすることができ、これによって、取り扱いを容易にするとともに、コンパクトな保管空間とすることができる。
【００３４】
また、前記修復層を有色材料によって形成し、あるいは、前記修復層を透明材料によって形成するとともに、前記基材を有色材料によって形成するようにしてもよい。
【００３５】
このような構成とすることにより、ゴルフクラブヘッドの表面に色彩的な、あるいは、描画的な効果を付与することができるとともに、多様化を図ることができる。
そして、ゴルフクラブヘッドの表面に既に意匠的な処置が施されている場合には、ゴルフクラブヘッド保護シート全体を透明として、前記意匠を生かすことも可能である。
【００３６】
そして、ゴルフクラブヘッド保護シートは、ゴルフクラブヘッドの上面あるいは底面等の、ゴルフクラブヘッドのあらゆる表面に適用できる。
【発明の効果】
【００３７】
本発明によれば、ゴルフクラブヘッド上面に皺の発生を防止して均一、かつ、容易に貼付することのできるゴルフクラブヘッド保護シートを提供することができる。
【図面の簡単な説明】
【００３８】
【図１】本発明の一実施形態を示すもので、ゴルフクラブヘッド保護シートをゴルフクラブヘッドから分離した状態を示す斜視図である。
【図２】本発明の一実施形態を示すもので、ゴルフクラブヘッド保護シートの展開図である。
【図３】本発明の一実施形態を示すもので、図２のＩＩＩ−ＩＩＩ線に沿った拡大断面図である。
【図４】本発明の一実施形態を示すもので、ゴルフクラブヘッド保護シートをゴルフクラブヘッド上面に貼着した状態を示す斜視図である。
【発明を実施するための形態】
【００３９】
以下、図１〜図４を用いて、本発明の一実施形態に係るゴルフクラブヘッド保護シートについて説明する。
これらの図において、符号１は、本実施形態に係るゴルフクラブヘッド保護シートを示す。
【００４０】
本実施形態のゴルフクラブヘッド保護シート１は、図１に矢印で示すように、ゴルフクラブヘッドＨの３次元曲面を有する上面Ｆの全面を覆うように貼付されるもので、ゴルフクラブヘッドＨの上面で、ゴルフクラブヘッドＨのネック部Ｎ近傍を覆う基部１ａと、この基部１ａに連設されて、この基部１ａによって覆われた部分以外のゴルフクラブヘッドＨの上面Ｆを覆う延設部１ｂとを備え、この延設部１ｂには、基部１ａから延設部１ｂの外縁部に至る切り込み２によって複数に分割されており、この切り込み２の対向する縁部２ａ同士を密着させた状態において、ゴルフクラブヘッドＨの上面Ｆの３次元曲面とほぼ同様の曲面形状となされるようになっている。
【００４１】
切り込み２は、本実施形態においては、基部１ａから先端縁まで形成されているとともに、基部１ａから略放射状に６箇所に形成されている。
【００４２】
これらの切り込み２は、３次元グラフィックソフトを用いてゴルフクラブヘッドＨの上面Ｆの３次元曲面を作成し、この３次元曲面上において形成される。
【００４３】
そして、前述した３次元曲面および切り込み２のデーターに基づいて、ゴルフクラブヘッド保護シート１を平面に展開した２次元データーを作成し、この２次元データーに基づき平面状のシート材料を切り取ることにより、ゴルフクラブヘッド保護シート１が形成される。
【００４４】
また、本実施形態のゴルフクラブヘッド保護シート１は、図３に示すように、可撓性を有する基材３と、この基材３の上面に積層された形状復元性を有する修復層４と、基材３の下面に積層された粘着層５とによって形成されている。
このゴルフクラブヘッド保護シート１は、施工性を考慮すると１００μｍの厚みとすることが好ましい。
【００４５】
基材３は、例えば、塩化ビニル系樹脂組成物、ＰＥＴ等を含有するポリエステル系樹脂組成物、アクリル系樹脂組成物、ウレタン系樹脂組成物等の樹脂製のフィルムを用いて形成されている。
【００４６】
また、修復層４は、例えば、塩化ビニル系樹脂組成物、ＰＥＴ等を含有するポリエステル系樹脂組成物、アクリル系樹脂組成物、ウレタン系樹脂組成物等を用いて形成されている。
【００４７】
さらに、粘着層５は、ゴルフクラブヘッドＨに貼付けることができるものであれば特に限定されることはないが、例えば、ゴム系粘着剤、アクリル系粘着剤等の公知の粘着剤を用いて形成されている。
【００４８】
このように構成された本発明のゴルフクラブヘッド保護シート１は、未使用時においては、切り込み２を広げるように展開することにより平面状となされている。
【００４９】
また、切り込み２を、その対向する縁部２ａを密着させるように変形させると、ゴルフクラブヘッド保護シート１が、ゴルフクラブヘッド上面の３次元曲面と同形状の曲面形状となされる。
【００５０】
ゴルフクラブヘッド保護シート１をゴルフクラブヘッドＨの上面Ｆに貼着するには、基部１ａをゴルフクラブヘッドＨの上面Ｆの、ゴルフクラブヘッドＨのネック部Ｎ近傍に粘着層５によって貼着した後に、延設部１ｂを、切り込み２の対向する縁部２ａを密着させるようにして変形させつつゴルフクラブヘッドＨの上面Ｆの、基部１ａが貼着されていない部位に粘着層５によって貼着する。
【００５１】
ここで、ゴルフクラブヘッドＨのネック部Ｎ近傍の上面は、その曲面の曲率が比較的小さいため、この部位に貼着される基部１ａの変形を小さく抑えることができる。
したがって、基部１ａを、ゴルフクラブヘッドＨのネック部Ｎ近傍の上面Ｆに均一に貼付することができる。
【００５２】
一方、延設部１ｂは、前述したように、切り込み２をその対向する縁部２ａを密着させるように変形させることにより、ゴルフクラブヘッドＨの上面Ｆの３次元曲面と同形状の曲面形状とすることができる。
【００５３】
ここで、延設部１ｂの、切り込み２によって切り離された部位が幅狭となされていることから、これらの部位が貼着されるゴルフクラブヘッドＨの上面Ｆの部位の曲率も小さい。
【００５４】
これに伴い、延設部１ｂの切り込み２によって切り離された部位を基部１ａが貼着されていない部位に貼着する際に、その変形を小さくすることができ、延設部１ｂをゴルフクラブヘッドＨの上面Ｆに容易に沿わせて均一に貼着することができる。
【００５５】
したがって、ゴルフクラブヘッド保護シート１全体を、ゴルフクラブヘッドＨの３次元曲面を有する上面Ｆに、皺の発生を防止しつつ均一に貼付することができる。
【００５６】
また、前述したように貼付時の変形量を小さく抑えたことにより、その貼着作業を簡便なものとすることができるので、未熟練な作業者でも容易に作業を行なうことができる。
【００５７】
さらに、変形量を小さくすることができることに伴い、基材３等に、より硬度の高い材料を用いることができるので、ゴルフクラブヘッド保護シート１の強度を高めて、その傷防止効果や耐久性を高めることができる。
【００５８】
このような貼付作業において、基材３に可撓性を与えておくことによりゴルフクラブヘッドＨの上面Ｆの曲面に沿った変形を容易にして、より均一な貼付を可能とし、かつ、皺の発生を効果的に防止することができる。
【００５９】
また、修復層４を、形状復元性を有する材料によって形成することにより、ゴルフクラブヘッド保護シート１にショット時のボールによる衝撃力が加わった際に、その衝撃力を緩和してゴルフクラブヘッド保護シート１やゴルフクラブヘッドＨ自体の損傷を防止することができるとともに、衝撃力が開放されると、修復層４が、その自らの形状復元性により元の形状に戻る。
【００６０】
さらに、粘着層５を設けておくことにより、粘着材を塗布する工程を省略して、簡便な貼付作業を確保することができる。
【００６１】
一方、ゴルフクラブヘッド保護シート１は、用いる材料によって紫外線の透過を防止することができるので、ゴルフクラブヘッド表面の劣化を抑制することも期待できる。
【００６２】
なお、前記実施形態において示した形状や寸法等は一例であって、適用するゴルフクラブの形状等に応じて種々変更可能である。
【００６３】
例えば、切り込み２の数は任意に増減可能であり、ゴルフクラブヘッドＨの上面Ｆの曲面形状に応じて増減することにより、貼付時の延設部１ｂの変形量を適切量に調整して、ゴルフクラブヘッド保護シート１のゴルフクラブヘッドＨの上面Ｆへのなじみを良好なものとすることができる。
【００６４】
また、前記実施形態においては、ゴルフクラブヘッドＨの上面Ｆへ適用した例について示したが、ゴルフクラブヘッドＨの底面や、その他の表面に適用することも可能である。
【００６５】
さらに、修復層４を有色材料によって形成し、あるいは、修復層４を透明材料によって形成するとともに、基材３を有色材料によって形成するようにしてもよい。
【００６６】
このような構成とすることにより、ゴルフクラブヘッドＨの表面に色彩的な、あるいは、描画的な効果を付与することができるとともに、多様化を図ることができる。
そして、ゴルフクラブヘッドＨの表面に既に意匠的な処置が施されている場合には、ゴルフクラブヘッド保護シート１全体を透明として、前記意匠を生かすことも可能である。
【００６７】
また、ゴルフクラブヘッド保護シート１を、切り込み２によって平面状に展開した状態で別途設けられた保持シートに剥離可能に貼着しておくこともできる。
【００６８】
このような構成とすることにより、ゴルフクラブヘッド保護シート１を、その占有容積を最小限度とした状態に保持することができ、これによって、取り扱いを容易にするとともに、保管空間のコンパクト化を図ることができる。
【符号の説明】
【００６９】
１    ゴルフクラブヘッド保護シート
１ａ  基部
１ｂ  延設部
２    切り込み
２ａ  縁部
３    基材
４    修復層
５    粘着層
Ｆ    ゴルフクラブヘッドの上面
Ｈ    ゴルフクラブヘッド
Ｎ    ネック部
【図１】
2020179032.tif 000003
【図２】
2020179032.tif 000004
【図３】
2020179032.tif 000005
【図４】
2020179032.tif 000006